(57)【要約】【課題】  制御機器が制御すべき被制御機器が増えても、制御機器側の制御データ識別の為の処理量が増加せず、制御機器と被制御機器で構成されるシステム全体を円滑に稼働できるようにしたワイヤレス制御システムを実現する。【解決手段】  本発明のワイヤレスＡＶシステム１０１は、ワイヤレスセンタユニット１０２とＴＶ本体ユニット１０３とが無線ＬＡＮによって接続された無線伝送ネットワーク１を形成する。ワイヤレスセンタユニット１０２は、制御コマンドにワイヤレスＡＶシステム１０１内の機器同士を識別するための識別コードを付加した制御データをＴＶ本体ユニット１０３に送信する。ＴＶ本体ユニット１０３は、受信した制御データに含まれる識別コードを読み取って、該制御データに含まれる制御コマンドを実行すべき機器を識別して、識別した機器に上記制御データを伝送する。【選択図】  図１
2004336736.tif 000002
【特許請求の範囲】
【請求項１】
ワイヤレスＡＶシステムを構成するＡＶ機器間において、
制御データを送受信する装置であって、制御データを生成する手段と、
前記生成した制御データを変換する手段と、
前記変換した制御データを無線送受信する手段と、
前記変換した制御データを識別し変換前のデータを取得する手段とを備えた装置。
【請求項２】
前記制御データを変換する手段は、
前記制御データを識別するためのキーコードを前記制御データの先頭に付加し、前記制御データの他の部分において前記キーコードと同内容のデータがある場合には、該データに対して一定の変換を行うことを特徴とする請求項１に記載の装置。
【請求項３】
前記制御データは、
前記ワイヤレスＡＶシステムを構成するＡＶ機器が自器内の無線通信局に対して制御を行うデータと、自器以外のＡＶ機器内の無線通信局に対して制御を行うデータと、自器以外のＡＶ機器に対して制御を行うデータとを含んでいることを特徴とする請求項１又は２に記載の装置。
【請求項４】
前記制御データは、
データ伝送レートの変更、無線通信チャンネルの変更、チューナチャンネルの変更、入力の切り替えを行うためのコマンドを含んでいることを特徴とする請求項１に記載の装置。
【発明の詳細な説明】
【技術分野】
【０００１】
本発明は、制御機器と、該制御機器によりワイヤレスで制御される被制御機器とで構成されるワイヤレス制御システム、制御機器、被制御機器、機器の制御方法、制御プログラム及びそれを記録したコンピュータ読み取り可能な記録媒体に関するものである。
【背景技術】
【０００２】
近年、インターネットの爆発的な普及に伴い、オフィス、家庭等でＬＡＮ（Local Area Network）を構築するケースが増えてきている。
【０００３】
デジタル無線通信技術の進歩も手伝い、ケーブル配線の煩わしさから、無線でＬＡＮを構築する、いわゆるワイヤレスＬＡＮのニーズも非常に高まっている。さらに、このようワイヤレスＬＡＮを構成する無線通信装置は、ノート型パソコンに代表される移動端末での移動環境下における、使用が可能であることも手伝い、将来的には、かなりの数の普及台数が期待されている。
【０００４】
このワイヤレスＬＡＮの代表的な技術としては、既に、ＩＥＥＥ（Institute of Electrical and Electronics Engineers）において、標準化されている、ＩＥＥＥ８０２．１１がある。この標準化された技術は、ＯＳＩモデルにおける、物理層から、データリンクの下位層であるＭＡＣ（Media Access Control：媒体アクセス制御）層までを規定しており、有線のＬＡＮ伝送路である、イーサネット（登録商標）と置きかえることができ、さらに、ワイヤレスであるが故の付加機能として、ローミング（roaming）機能も提供できる仕様になっている。
【０００５】
近年、ビデオ画像データや音声データのやり取りを無線で行うために、このようなワイヤレスＬＡＮを利用したワイヤレスＡＶシステムが提案されている。
【０００６】
一般的に、ワイヤレスＡＶシステムでは、伝送エラーによって、送受信するビデオ画像データの劣化が問題になる。
【０００７】
そこで、特許文献１には、ビデオ画像データに含まれる画像ヘッダにより伝送エラーを探知し、伝送エラーが探知されたときに、ビデオ画像データを一時保管し、該画像ヘッダとは異なるヘッダの反復を探知し、この反復したヘッダに基づいて、一時保管したビデオ画像データを復号化して、ビデオ画像データの劣化を防止する画像復号化方法が提案されている。
【特許文献１】ＰＣＴ国際公開番号：ＷＯ  ０１／００６７９５（２００１年１月２５日公開）
【発明の開示】
【発明が解決しようとする課題】
【０００８】
ところで、従来のワイヤレスＡＶシステムでは、一つの制御機器（ＡＶアンプ等）から、複数の被制御機器（ビデオデッキ、ＤＶＤプレーヤ、ステレオ、テレビ等）を制御する場合に、制御機器から各被制御機器に向けて制御データを無線送信していた。つまり、制御機器では、該制御機器のデータ送受信ユニットにおいて、各被制御機器に向けて制御データを振り分けて送信するようになっていた。
【０００９】
このため、一つの制御機器で制御すべき被制御機器の数が多くなれば、それだけ制御機器内のデータ送受信ユニットにおける制御データの振り分けの為の処理量、すなわち制御データ識別の為の処理量が膨大なものとなり、制御機器が被制御機器を迅速に制御できなくなるので、ワイヤレスＡＶシステム全体が円滑に稼働しないという問題が生じる。
【００１０】
本発明は、上記の問題点に鑑みてなされたものであり、その目的は、制御機器が制御すべき被制御機器が増えても、制御機器側の制御データ識別の為の処理量が増加せず、ワイヤレスＡＶシステム全体を円滑に稼働できるようにしたワイヤレス制御システムを実現することにある。
【課題を解決するための手段】
【００１１】
上記解決課題に鑑みて鋭意研究の結果、本発明者は、特定のキーコードをヘッダとし、データ本体を特定のキーコードが出現しないように変換して伝送することに想到した。
【００１２】
すなわち、本発明は、ワイヤレスAVシステムを構成するAV機器間において、制御データを送受信する装置であって、制御データを生成する手段と、前記生成した制御データを変換する手段と、前記変換した制御データを無線送受信する手段と、前記変換した制御データを識別し変換前のデータを取得する手段とを備えた装置を提供するものである。
【００１３】
本発明において、前記制御データを変換する手段は、前記制御データを識別するためのキーコードを前記制御データの先頭に付加し、前記制御データの他の部分において前記キーコードと同内容のデータがある場合には、該データに対して一定の変換を行うことを特徴とする。
【００１４】
また、本発明の前記制御データは、前記ワイヤレスAVシステムを構成するAV機器が自器内の無線通信局に対して制御を行うデータと、自器以外のAV機器内の無線通信局に対して制御を行うデータと、自器以外のAV機器に対して制御を行うデータとを含んでいることを特徴とする。
【００１５】
さらに、本発明の前記制御データは、データ伝送レートの変更、無線通信チャンネルの変更、チューナチャンネルの変更、入力の切り替えを行うためのコマンドを含んでいることを特徴とする。
【発明の効果】
【００１６】
以上、説明したように、本発明のワイヤレスAVシステムによれば、AV機器間における制御データの送受信を行う際に、データ本体を処理する必要なくヘッダに付加されたキーコードに従って制御データを識別することができるので、無線局及び端末におけるデータ識別作業の負荷を軽減することが可能となる。
【発明を実施するための最良の形態】
【００１７】
本発明の一実施の形態について説明すれば、以下の通りである。なお、本実施の形態では、本発明のワイヤレス制御システムをワイヤレスＡＶ（audio visual）システムに適用した例について説明する。
【００１８】
図１は、本実施の形態にかかるワイヤレスＡＶシステム１０１の概要を示す概略ブロック図である。ここでは、ワイヤレスＡＶシステム１０１を、図１２に示すようなディスプレイ分離型のワイヤレスＴＶ受信機に適用した例を示している。
【００１９】
すなわち、上記ワイヤレスＡＶシステム１０１は、図１２に示すように、ＴＶ本体ユニット１０３とワイヤレスセンタユニット１０２とで構成されている。
【００２０】
上記ＴＶ本体ユニット１０３は、バッテリ内蔵でワイヤレスのＴＶ受像機を含んでおり、また、リモートコントローラ（以下、リモコンと称する）１３０を備えて、該ＴＶ本体ユニット１０３を介してワイヤレスセンタユニット１０２に接続されたビデオデッキなどのリモコン操作ができるようになっている。
【００２１】
また、上記ワイヤレスセンタユニット１０２は、ＢＳやＵ／ＶＨＦ等のアンテナ、ＤＶＤプレーヤやビデオデッキ等のＡＶ機器等が接続されており、該ＡＶ機器からの映像及び／又は音声データ等をＴＶ本体ユニット１０３へワイヤレス伝送するようになっている。
【００２２】
以下に、ワイヤレスＡＶシステム１０１の詳細について説明する。また、以下の説明において、単に「データ」と記した場合、制御データ、映像データ、音声データ等の一般のワイヤレスＡＶシステム１０１において送受される全てのデータを示すものとする。
【００２３】
上記ワイヤレスＡＶシステム１０１は、図１に示すように、ベース機器としてのワイヤレスセンタユニット１０２と、ポータブル端末としてのテレビジョン（ＴＶ）本体ユニット１０３とから構成されている。上記ワイヤレスセンタユニット１０２とＴＶ本体ユニット１０３とは、ペアとなって無線伝送ネットワーク１を構成している。
【００２４】
上記ワイヤレスセンタユニット１０２及びＴＶ本体ユニット１０３は、制御機器と被制御機器の両機器の機能を有している。すなわち、ワイヤレスセンタユニット１０２が制御機器として機能するとき、ＴＶ本体ユニット１０３は被制御機器として機能し、ＴＶ本体ユニット１０３が制御機器として機能するとき、ワイヤレスセンタユニット１０２は被制御機器として機能する。
【００２５】
ここで、上記無線伝送ネットワーク１では、上記ワイヤレスセンタユニット１０２とＴＶ本体ユニット１０３との間で、ＩＥＥＥ８０２．１１規格に準拠するＳＳ（Spread Spectrum：スペクトラム拡散）無線方式によりデータが送受信されるものとする。
【００２６】
上記ワイヤレスセンタユニット１０２は、ＢＳ（broadcasting satellite）端子１１、Ｕ／ＶＨＦアンテナ端子１２、ダイバーシティ端子１３の各アンテナ端子と、デジタルＶＴＲ、ＤＶＤプレーヤなどの機器を接続するＳ端子付きビデオ１入力端子（外部入力１）１４、デコーダ入力用のビデオ２入力端子（外部入力２）１５、モニタ／ＢＳ出力用のビデオ３入力端子（外部入力３）１６、電源装置としてのＡＣ電源部１７及びＣａｒ−ＤＣ電源部１８を備える。
【００２７】
なお、上記ワイヤレスセンタユニット１０２の詳細については、後述する。
【００２８】
上記ＴＶ本体ユニット１０３は、デジタルＶＴＲ、ＤＶＤ（Digital Versatile Disc）プレーヤなどの機器を接続するＴＶ出力用のビデオ４入力端子（外部入力４）２１、電源装置としてのＡＣ電源部２２及びＣａｒ−ＤＣ電源部２３に接続するための電源端子（図示せず）を備える。
【００２９】
上記ＴＶ本体ユニット１０３は、上記ワイヤレスセンタユニット１０２と分離可能でバッテリ内蔵により携帯又は可搬できる薄型表示装置であり、例えば液晶テレビジョン（以下、液晶テレビと称する）、無機ＥＬ（Electroluminescence)／有機ＥＬディスプレイ、プラズマディスプレイなどの種々の表示装置を含む広い概念であり、表示機構により限定されるものではない。
【００３０】
なお、上記ＴＶ本体ユニット１０３の詳細については後述する。
【００３１】
本実施の形態において、上記ＴＶ本体ユニット１０３は、主として表示機能や音響機能などを有し、一方、上記ワイヤレスセンタユニット１０２は、主としてチューナ部や上記ＴＶ本体ユニット１０３を制御する制御機能などを有している。なお、本実施の形態では、上記ＴＶ本体ユニット１０３は、薄型表示装置として液晶テレビを例にして説明する。例えば、図１３に示すようなシステムが考えられる。この図１３についての説明は後述する。
【００３２】
上記ワイヤレスセンタユニット１０２とＴＶ本体ユニット１０３との間に形成される無線伝送ネットワーク１においては、上述したように、ＳＳ無線方式によりデータが送受信されている。ここでは、周波数帯として、２．４ＧＨｚ帯が用いられている。なお、最近、周波数帯として５ＧＨｚ帯が開放されているので、２．４ＧＨｚ帯の代わりに５ＧＨｚ帯を用いてもよい。
【００３３】
上記ワイヤレスセンタユニット１０２からＴＶ本体ユニット１０３へは、ＭＰＥＧ（Moving Picture Expert Group）２の映像圧縮フォーマットを用いて、動画像データやDVD-Videoデータ、デジタル放送データを１０Ｍｂｐｓを超える通信回線で伝送する。また、ワイヤレスセンタユニット１０２とＴＶ本体ユニット１０３のコマンド（制御信号）伝送も、上記のＳＳ無線方式により行う。
【００３４】
ここで、ＭＰＥＧについて説明する。
【００３５】
ＭＰＥＧビデオやＭＰＥＧオーディオの符号化されたストリーム（ビット列）、さらに他の符号化ストリームも含めて実際のアプリケーションに適用する場合には、同期を含めて符号化ストリームを多重化して統合し１本化するとともに、そのストリームを蓄積メディアやネットワーク等が持つ、固有の物理フォーマットやプロトコルに適合したデータ形式にする必要がある。
【００３６】
ＭＰＥＧ２システムには、ＭＰＥＧ１と同様に１つのプログラムを構成するプログラム・ストリーム（ＭＰＥＧ２−ＰＳ，ＰＳ：Program Stream）と、複数のプログラムを構成できるトランスポート・ストリーム（ＭＰＥＧ２−ＴＳ，ＴＳ：Transport Stream）とがある。
【００３７】
ＭＰＥＧストリームは、１ビットのフラグも多数あるがヘッダなどの各単位ごとにバイト整列されたバイト・ストリームである。ＭＰＥＧシステム全体に共通した構造として固定長でないデータ部分には、長さを示す情報が先行して置かれ、不要な場合はその部分をスキップしたり、次のデータ群の先頭を確認して信頼性の高い分離処理ができるデータ構造となっている。
【００３８】
ＭＰＥＧ２符号化方式に準拠し、圧縮された映像、音声信号を受信する装置は、復号化側において映像、音声データのオーバーフロー、アンダーフローの防止するために、符号化側での映像、音声サンプリング周波数と、復号化側での映像、音声サンプリング周波数またはＳＴＣ（System Time Clock）を一致させる必要がある。
【００３９】
そのため、復号化装置ではＭＰＥＧ２システム規格（ＩＳＯ／ＩＥＣ規格１３８１８−１）で規定されたＰＣＲ（Program Clock Reference：プログラム時刻基準参照値）またはＳＣＲ（System Clock Reference：システム時刻基準参照値）を用いることにより、符号化側の映像、音声サンプリング周波数と復号化側の映像、音声サンプリング周波数を一致させている。
【００４０】
ここで、上記構成のワイヤレスＡＶシステム１０１のワイヤレスセンタユニット１０２とＴＶ本体ユニット１０３との詳細について、図２および図３を参照しながら以下に説明する。
【００４１】
図２は、ワイヤレスセンタユニット１０２の概略を示すブロック図であり、図３は、ＴＶ本体ユニット１０３の概略を示すブロック図である。
【００４２】
図２に示すように、ワイヤレスセンタユニット１０２は、ワイヤレスセンタ２と、該ワイヤレスセンタ２からのデータをＳＳ無線方式によりＴＶ本体ユニット１０３（図１参照）に送信すると共に、該ＴＶ本体ユニット１０３からのコマンド（制御コマンド）を受信する通信手段（通信部）としてのＳＳ送受信ユニット３６とで構成されている。
【００４３】
ワイヤレスセンタ２は、ＢＳ端子１１に接続され選局信号によりＢＳ放送を受信・選局するＢＳチューナ３１と、Ｕ／ＶＨＦアンテナ端子１２に接続され選局信号によりＵ／ＶＨＦ放送を受信・選局するＵ／ＶＨＦチューナ３２と、ＢＳチューナ３１又はＵ／ＶＨＦチューナ３２で受信・選局された映像・音声（ＡＶ）信号を復調する映像・音声復調部３３と、音声切換信号により受信した音声とＥＰＧ（Electrical Program Guide：電子番組ガイド）などの番組に関する情報とを切換える音声切換部３４と、ソース選択信号により受信した映像・音声情報、番組に関する情報、ビデオ１入力端子１４、ビデオ２入力端子(デコーダ入力）１５、ビデオ３入力端子（モニタ／ＢＳ出力兼用）１６からの外部入力情報を選択する第１のＡＶセレクタ３５と、各部を制御するためのワイヤレスセンタマイコン３７と、このワイヤレスセンタマイコン３７の制御プログラム、通信制御データ、さらに通信チャンネル変更プログラム等の種々のデータを記憶する電気的に書換可能な不揮発性メモリであるＥＥＰＲＯＭ（electrically erasable programmable ROM）３８とを備えて構成される。
【００４４】
上記ワイヤレスセンタマイコン３７は、ＢＳチューナ３１及びＵ／ＶＨＦチューナ３２に対して選局信号４１を送信し、音声切換部３４に対して音声切換信号４２を送信し、第１のＡＶセレクタ３５に対してソース選択信号４３を送信するようになっており、さらに、ＳＳ送受信ユニット３６に対してＴＶコマンド４４を送受信するようになっている。
【００４５】
また、上記ワイヤレスセンタマイコン３７は、後述する制御データの生成を行う制御データ生成部、制御データに含まれる識別コードから被制御機器を識別するための識別部、識別した被制御機器に制御データを伝送する制御データ伝送部の機能も兼ねている。
【００４６】
上記選局信号４１は、ＴＶ番組のチャンネルを指定するための情報を含んだ信号である。また、上記音声切換信号４２は、主音声、副音声、ステレオ、モノラル等の音声を切り換えるための情報を含んだ信号である。さらに、上記ソース選択信号４３は、ビデオ１入力端子１４〜ビデオ３入力端子１６等の外部機器からの音声・映像信号か、ＢＳチューナ３１及びＵ／ＶＨＦチューナ３２によって受信された音声・映像信号かを選択するための情報を含んだ信号である。
【００４７】
すなわち、ＢＳチューナ３１及びＵ／ＶＨＦチューナ３２は、ワイヤレスセンタマイコン３７からの選局信号４１によって指定された番組のチャンネルの放送を受信する。
【００４８】
また、音声切換部３４は、映像・音声復調部３３から出力される音声を、ワイヤレスセンタマイコン３７からの音声切換信号４２によって指定された音声に切り換える。
【００４９】
さらに、第１のＡＶセレクタ３５は、ワイヤレスセンタマイコン３７からのソース選択信号４３によって指定されたソース（ビデオ１入力端子１４等の外部機器からの映像・音声信号、ＢＳチューナ３１及びＵ／ＶＨＦチューナ３２からの映像・音声信号）を選択する。
【００５０】
また、上記ＴＶコマンド４４は、ワイヤレスセンタマイコン３７とＳＳ送受信ユニット３６との間で送受され、装置全体を制御するための制御信号である。
【００５１】
つまり、上記ＴＶコマンド４４は、ワイヤレスセンタマイコン３７で生成されて、ＳＳ送受信ユニット３６に送信され、さらに、該ＳＳ送受信ユニット３６の通信相手の機器であるＴＶ本体ユニット１０３に送信される。逆に、ワイヤレスセンタユニット１０２では、ＳＳ送受信ユニット３６を介して、通信相手であるＴＶ本体ユニット１０３からのＴＶコマンド７１（図３参照）がワイヤレスセンタマイコン３７にて受信される。
【００５２】
これにより、ＴＶ本体ユニット１０３では、通信相手であるワイヤレスセンタユニット１０２からのＴＶコマンド４４を受信することで、該ＴＶ本体ユニット１０３の各部が制御され、ワイヤレスセンタユニット１０２では、通信相手であるＴＶ本体ユニット１０３からのＴＶコマンド７１（図３参照）を受信することで、該ワイヤレスセンタユニット１０２の各部が制御される。
【００５３】
なお、本実施の形態では、上記ワイヤレスセンタ２には、放送用のチューナとして、ＢＳチューナ３１、Ｕ／ＶＨＦチューナ３２を備えた例を示したが、これらは、アナログ放送を受信するチューナであってもよいし、デジタル放送を受信するチューナであってもよい。また、デジタル放送用チューナも、衛星デジタル放送用チューナであってもよいし、地上デジタル放送用のチューナであってもよい。
【００５４】
上記ＳＳ送受信ユニット３６は、ワイヤレスセンタ２内の第１のＡＶセレクタ３５により選択されたデータをデジタル信号に変換するＡ／Ｄ変換部５１、該Ａ／Ｄ変換部５１にてデジタル信号に変換されたデータをＭＰＥＧ２の映像圧縮フォーマットに変換するＭＰＥＧ２エンコーダ５２、送信データ（ＭＰＥＧ２ストリームやコマンド等）をＳＳ無線方式により送信するＳＳ無線機及び無線制御部からなるＳＳ無線送受信エンジン５３、及びＳＳ送信ユニット各部を制御するとともに、電波状態を検出する第１のＳＳ−ＣＰＵ５４を備えて構成される。
【００５５】
上記ＳＳ無線送受信エンジン５３は、ＴＶ本体ユニット１０３のＳＳ送受信ユニット６１（図３で後述する）に、映像及び／または音声データ等のＭＰＥＧ２ストリームや制御データ等のコマンドを送信する送信機能と、ＳＳ送受信ユニット６１から制御データ等のコマンドを受信する受信機能とを備える。
【００５６】
なお、本実施の形態では、ワイヤレスセンタユニット１０２を制御するためのプログラムをＥＥＰＲＯＭ３８に書換可能に記録しているので、該プログラムを書き換えることにより、制御内容を容易に変更することができる。このように、ワイヤレスセンタユニット１０２において、書換可能なメモリに記憶するのは、システム開発のデバッグごとにマスクＲＯＭを変更する時間損失を回避するためである。つまり、プログラムＲＯＭを不揮発性メモリ、例えばＥＰＲＯＭ，ＥＥＰＲＯＭとすることで、プログラム開発・修正時間の短縮の大幅な短縮を図っている。また、プログラムをダウンロードしてＥＥＰＲＯＭ３８のプログラム内容を書き換えるようにすれば機能のアップグレードや機能の変更を容易に行うことが可能になる。
【００５７】
続いて、ＴＶ本体ユニット１０３の詳細について、図３を参照しながら以下に説明する。
【００５８】
図３に示すように、ＴＶ本体ユニット１０３は、ＴＶ本体３と、該ＴＶ本体３からのコマンドをＳＳ無線方式によりワイヤレスセンタユニット１０２（図１参照）に送信すると共に、該ワイヤレスセンタユニット１０２からのデータを受信する通信手段としてのＳＳ送受信ユニット６１とで構成されている。
【００５９】
上記ＳＳ送受信ユニット６１は、ＴＶコマンド７１を送受信してワイヤレスセンタユニット１０２のＳＳ送受信ユニット３６から送信されたＭＰＥＧ２ストリームやコマンド伝送データを受信するとともに、受信したＭＰＥＧ２ストリームなどを元データにデコード（復元）するようになっている。このＳＳ送受信ユニット６１の詳細については後述する。
【００６０】
上記ＴＶ本体３は、ＳＳ送受信ユニット６１により復元したデータとＴＶ出力用のビデオ４入力端子２１を介して外部から入力されるＡＶ信号とを選択する第２のＡＶセレクタ６２と、映像信号を表示し音声信号を出力するＬＣＤ等からなるＴＶ部６３（報知手段の一部）と、ＴＶコマンド７１を送受信するとともに、ソース選択信号７２、ＯＳＤ（オン・スクリーン・ディスプレイ）信号７３等を送信して装置全体の制御を行うＴＶマイコン６４（報知手段の一部）と、ＴＶマイコン６４の制御プログラム、通信制御データ、さらに通信チャンネル変更プログラム等の種々のデータを記憶する電気的に書換可能な不揮発性メモリであるＥＥＰＲＯＭ６５と、図示しないリモートコントロール装置（以下、リモコン装置という）からの制御コマンドを受光するリモコン受光部６６と、バッテリ６７と、バッテリ６７の充放電を制御するバッテリチャージャマイコン６８と、第２のＡＶセレクタ６２から出力される映像信号と、ＴＶマイコン６４から出力されるＯＳＤ信号７３とを合成してＴＶ部６３に出力するためのＯＳＤ合成部６９とを備えて構成される。
【００６１】
上記ＴＶマイコン６４は、後述する制御データの生成を行う制御データ生成部、制御データに含まれる識別コードから被制御機器を識別するための識別部、識別した被制御機器に制御データを伝送する制御データ伝送部の機能も兼ねている。
【００６２】
上記ＳＳ送受信ユニット６１は、ＳＳ無線方式により送信されたデータを受信するＳＳ無線機及び無線制御部からなるＳＳ無線送受信エンジン８１、受信したＭＰＥＧ２ストリームをデコードするＭＰＥＧ２デコーダ８２、デコードされたデータをアナログ信号に変換するＤ／Ａ変換部８３、及びＳＳ送受信ユニット各部を制御するとともに、電波状態を検出する第２のＳＳ−ＣＰＵ８４（通信状態検出手段）を備えて構成される。
【００６３】
上記ＳＳ無線送受信エンジン８１は、ワイヤレスセンタユニット１０２のＳＳ送受信ユニット３６からのＭＰＥＧ２ストリームやコマンド等を受信する受信機能と、ＳＳ送受信ユニット６１からコマンド等を送信する送信機能とを備える。
【００６４】
特に、上記第２のＳＳ−ＣＰＵ８４は、受信電波の電界強度、エラー率に基づく再送要求によりワイヤレスセンタユニット１０２とＴＶ本体ユニット１０３間の通信状態（電波の強弱、通信路の妨害）を検出する電波状態検出手段としての機能を備える。検出された電波状態を示す情報は、ＴＶコマンド７１としてＴＶマイコン６４に送られる。
【００６５】
本実施の形態では、ＴＶ本体ユニット１０３のＳＳ送受信ユニット６１内の第２のＳＳ−ＣＰＵ８４が上記電波状態検出機能を備える構成を示したが、ワイヤレスセンタユニット１０２のＳＳ送受信ユニット３６内の第１のＳＳ−ＣＰＵ５４が同様の機能を備え、検出した電波状態を示す情報をワイヤレスセンタユニット１０２からＴＶ本体ユニット１０３にコマンド伝送する態様でもよい。あるいは、第１のＳＳ−ＣＰＵ５４及び第２のＳＳ−ＣＰＵ８４双方が電波状態検出機能を備える構成でもよい。さらに、上記電波状態検出機能をＴＶマイコン６４又はワイヤレスセンタマイコン３７が行う態様でもよい。
【００６６】
ＴＶマイコン６４は、装置全体の制御を行うとともに、検出された通信状態に基づいて、映像及び音声データが途絶えていること、通信チャンネル変更中であること、接続中であること、通信圏外を含む受信感度情報の各メッセージを知らせる報知手段としての機能を有する。
【００６７】
また、ＴＶマイコン６４は、通信が途絶えた時間を計測し、該通信が途絶えてから所定の設定時間が経過するまでは通信チャンネルを保持する通信チャンネル変更制御を行う。
【００６８】
さらに、ＴＶマイコン６４は、内部にＯＳＤ発生機能部を有し、番組チャンネル、時刻、音量などの情報をテレビ等の画面上に表示する。ＴＶ等の映像装置、テレビ会議システム等の電子機器では、番組チャンネル、時刻、音量などの情報をテレビ画面上に表示することが一般的になっている。ＯＳＤのデータは画像ではなく、ビットマップと呼ばれる形式で保持されており、このビットマップからＹ，Ｃｂ，Ｃｒで表されるＹＵＶ形式の画素値に変換され、その変換された画素がテレビ放送などの原画像の上に重畳される。この重畳動作は、上述したＯＳＤ合成部６９にて行われる。
【００６９】
また、ＴＶ出力用のビデオ４入力端子２１に、図示しないＤＶＤ等の画像再生装置を接続すれば、表示画面上に再生画像に重畳してＯＳＤ表示が可能である。
【００７０】
また、図示は省略するが、ＴＶ本体３は、スピーカ、キー入力部、カード型外部拡張記憶媒体を挿脱するためのスロット等を備え、カード型外部拡張記憶媒体を該スロットに装着してデータを直接読み取る構成としてもよい。カード型外部拡張記憶媒体は、例えば電源バックアップにより書き込まれた情報を保持するＳＲＡＭ（Static RAM）カードや電源バックアップが不要なフラッシュメモリ等からなるコンパクトフラッシュ（登録商標）（ＣＦ）、スマートメディア、メモリスティク、さらにはコンパクトフラッシュ（登録商標）と同程度の大きさ又はＰＣカードTypeIIに装着可能な超小型ハードディスクドライブ（ＨＤＤ）等である。
【００７１】
また、ＴＶ本体３に備えられたリモコン受光部６６は、ＩＲ（Infrared Rays：赤外線）を使用する光通信ポート部であり、ＴＶ本体ユニット１０３又はワイヤレスセンタユニット１０２に対して各種操作を行うリモコン装置からの光信号を受光するようになっている。具体的には、上記のリモコン受光部６６は、赤外線を利用してデータを伝送するための規格、ＩｒＤＡ（Infrared Data Association）、ＡＳＫ等に準拠して光通信を行うためのＩ／Ｏポート、又は電波による無線通信ポートである。
【００７２】
また、上記バッテリ６７は、ＴＶ本体ユニット１０３の各部に所定の電源を供給する。バッテリチャージャマイコン６８は、バッテリ６７が充電可能状態になったとき、例えばＴＶ本体ユニット１０３がワイヤレスセンタユニット１０２やその他のクレードル等に装着されたことを検知し、バッテリ６７の充電媒体に対し電力供給端子（いずれも図示略）を介して充放電の制御を行う。バッテリチャージャマイコン６８は、具体的にはバッテリパックの放電電流を積算し、バッテリパックの残存容量が所定値以下になったと判断したときに充電を開始するとともに、充電時にはバッテリパックへの充電電流を積算しバッテリパックが満充電状態になったと判断したときに充電を停止させる。充電されたバッテリ６７は、ＴＶ本体３が商用電源から切り離された場合に携帯ＴＶの主電源となり、本体各部に電力を供給する。
【００７３】
次に、上記のような構成を有する本実施形態のワイヤレスＡＶシステム１０１において、ワイヤレスセンタ２とＴＶ本体３との間で制御データを送受信する方法について説明する。
【００７４】
ここでは、ユーザからの入力に応じて、あるいは所定のプログラムによる動作によって、ワイヤレスセンタユニット１０２のワイヤレスセンタマイコン３７が、ＳＳ送受信ユニット３６、ＴＶ本体ユニット１０３のＳＳ送受信ユニット６１、又はＴＶ本体３のＴＶマイコン６４に対して、識別コードと制御コマンドを含む制御データを送信するものとする。
【００７５】
ここで、識別コードとは、複数ある被制御機器の何れに対する制御コマンドであるのか否かを識別するためのコードであり、通常、制御データのヘッダ部分に付加されるものである。
【００７６】
ワイヤレスセンタ２のワイヤレスセンタマイコン３７によって送信されたＴＶコマンド４４は、ＳＳ送受信ユニット３６の第１のＳＳ−ＣＰＵ５４によって受信される。ＴＶコマンド４４がＳＳ送受信ユニット３６に対する制御コマンドを含んだ制御データであるときには、第１のＳＳ−ＣＰＵ５４により所定の処理が行われる。
【００７７】
ワイヤレスセンタマイコン３７によって送信されたＴＶコマンド４４がＴＶ本体ユニット１０３のＳＳ送受信ユニット６１又はＴＶマイコン６４に対しての制御データである場合には、ＳＳ送受信ユニット３６の第１のＳＳ−ＣＰＵ５４は、このデータに所定の符号化を施した後、ＳＳ無線送受信エンジン５３により無線送信する。
【００７８】
上記無線データを受信したＴＶ本体ユニット１０３のＳＳ送受信ユニット６１は、第２のＳＳ−ＣＰＵ８４において制御データを識別し、この制御データがＳＳ送受信ユニット６１に対する制御データである場合には、第２のＳＳ−ＣＰＵ８４により所定の処理が行われる。
【００７９】
受信データがＴＶマイコン６４に対しての制御データである場合には、第２のＳＳ−ＣＰＵ８４は、そのデータをＴＶコマンド７１としてＴＶマイコン６４に送信する。これにより、ＴＶマイコン６４は、ＴＶ本体３に対して所定の処理を行う。
【００８０】
図４（ａ）〜図４（ｃ）は、上記したワイヤレスセンタユニット１０２及びＴＶ本体ユニット１０３間での制御データ（以下、制御コマンドと称する）の送受信を模式的に示した図である。
【００８１】
なお、ここで、図４（ａ）〜図４（ｃ）において、制御機器はワイヤレスセンタユニット１０２のワイヤレスセンタマイコン３７を、無線局１はワイヤレスセンタユニット１０２のＳＳ送受信ユニット３６を、無線局２はＴＶ本体ユニット１０３のＳＳ送受信ユニット６１を、被制御機器はＴＶ本体ユニット１０３のＴＶマイコン６４をそれぞれ示しているものとする。
【００８２】
図４（ａ）は、制御機器が自器内の無線局１（自局）に対して制御コマンドを含む制御データを送信する場合を示している。この場合を、第１の制御データ送受信態様とする。この第１の制御データ送受信態様では、例えば、無線通信環境に応じて、ワイヤレスセンタマイコン３７がＳＳ送受信ユニット３６に対して、ＭＰＥＧ伝送レートの変更や無線チャンネルの切り替えを行うための制御コマンドを含む制御データを送信する場合が想定できる。
【００８３】
図４（ｂ）は、制御機器が自器以外の無線局２（他局）に対して制御コマンドを含む制御データを送信する場合を示している。この場合を、第２の制御データ送受信態様とする。この第２の制御データ送受信態様では、例えば、無線通信環境に応じて、ワイヤレスセンタマイコン３７がＴＶ本体ユニット１０３のＳＳ送受信ユニット６１に対して、ＭＰＥＧ伝送レートの変更や無線チャンネルの切り替えを行うための制御コマンドを含む制御データを送信する場合が想定できる。
【００８４】
図４（ｃ）は、制御機器が自器以外の被制御機器に対して制御コマンドを含む制御データを送信する場合を示している。この場合を、第３の制御データ送受信態様とする。この第３の制御データ送受信態様では、例えば、ユーザからの操作などに応じて、ワイヤレスセンタマイコン３７がＴＶ本体３のＴＶマイコン６４に対して、入力した番組のチャンネルの変更や各種設定の変更などを行うための制御コマンドを含む制御データを送信する場合が想定できる。
【００８５】
また、図４（ａ）〜図４（ｃ）に示した場合と逆の例で、ＴＶ本体ユニット１０３のＴＶマイコン６４を制御機器とし、ワイヤレスセンタユニット１０２のワイヤレスセンタマイコン３７を被制御機器とした場合には、チューナチャンネルの切り替えや音声切り替えなどを行うための制御コマンドを送信する場合が想定できる。この点については、後述する。
【００８６】
次に、本実施形態において送受信される制御データのデータ構造について説明する。本実施形態のワイヤレスＡＶシステム１０１では、制御データのヘッダ部分（制御コマンド）に特定のキーコードを含めて送受信することにより、制御データの識別を容易にしていることを特徴としている。
【００８７】
図５は、制御データに含めるキーコードの例を示す図である。図５に示す例では、制御データを識別するキーコードを“０ｘＦＦ”としている。このキーコードは予め設定されたものであり、任意に設定できるものとする。また、予め設定されたキーコード“０ｘＦＦ”と同じコードがデータ本体中に含まれている場合には、これを所定のルールに従って変換することとしている。すなわち、データ本体中の“０ｘＦＥ”を“０ｘＦＥ ０ｘ００”と変換し、“０ｘＦＦ”を“０ｘＦＥ ０ｘ０１”と変換することにしている。
【００８８】
このような変換を施すことにより、本システムで送受信される制御データは、ヘッダに含まれるキーコード“０ｘＦＦ”により容易に識別されることとなる。
【００８９】
また、制御データの受信側において、“０ｘＦＥ ０ｘ００”を“０ｘＦＥ”と変換し、“０ｘＦＥ ０ｘ０１”を“０ｘＦＦ”と変換することにより、元の制御データを容易に復元することが可能である。
【００９０】
図６は、本実施形態のワイヤレスＡＶシステム１０１において送受信される制御データのフォーマットの例を示す図である。図６に示すように、制御データは、コマンド識別ＩＤ（キーコードを含む制御コマンド）と、データサイズと、データ本体（制御コマンド）と、チェックサムとを含んで構成されている。
【００９１】
コマンド識別ＩＤは、コマンドの送信先を識別するＩＤとして予め決められたものであり、本実施の形態では、自局の無線局に対するコマンドをＩＤ＝１で、他局の無線局に対するコマンドをＩＤ＝２で、他局を通じた被制御機器に対するコマンドをＩＤ＝３で識別することとしている。さらに、被制御機器に接続された外部機器に対するコマンドをＩＤ＝４で識別することとしている。
【００９２】
チェックサムは、コマンド識別ＩＤ、データサイズ、データ本体の値を１byte単位で加算した値（下位１byte）としている。
【００９３】
図７（ａ）〜図７（ｄ）は、制御コマンドのコード変換例を示す図である。
【００９４】
図７（ａ）は、自局の無線局に対する制御コマンド（無線局１に対する制御コマンド）の変換例を示している。この場合のコマンド識別ＩＤは１とする。
【００９５】
図７（ｂ）は、他局の無線局に対する制御コマンド（無線局２への制御コマンド）の変換例を示している。この場合のコマンド識別ＩＤは２とする。
【００９６】
図７（ｃ）は、他局を通じた被制御機器に対する制御コマンドの変換例を示している。この場合のコマンド識別ＩＤは３とする。
【００９７】
図７（ｄ）は、被制御機器に接続された外部機器に対する制御コマンドの変換例を示している。この場合のコマンド識別ＩＤは４とする。
【００９８】
何れの制御コマンドの場合であっても、変換後のデータでは、データ先頭にキーコード“０ｘＦＦ”を有しており、また、変換前データ中にあった“０ｘＦＥ”及び“０ｘＦＦ”は、それぞれ“０ｘＦＥ ０ｘ００”及び“０ｘＦＥ ０ｘ０１”に変換されているため、キーコードが誤認されることがないようになっている。
【００９９】
ここで、各種制御コマンドの具体例を下記に示す。
【０１００】
自局コマンド（コマンド識別ＩＤ＝１）の例としては、
受信感度取得コマンド：０ｘ０１  ０ｘ００  ０ｘ０１  ０ｘ０１  ０ｘ０３
チャンネル番号取得コマンド：０ｘ０１  ０ｘ００  ０ｘ０１  ０ｘ０２  ０ｘ０４
などがある。
【０１０１】
他局コマンド（コマンド識別ＩＤ＝２）の例としては、
チャンネル変更コマンド：０ｘ０２  ０ｘ００  ０ｘ０１  ０ｘ０１  ０ｘ０４
他局機器名取得コマンド：０ｘ０２  ０ｘ００  ０ｘ０１  ０ｘ０２  ０ｘ０５
などがある。
【０１０２】
他局につながる機器へのコマンド（コマンド識別ＩＤ＝３）の例としては、
再生コマンド：０ｘ０３  ０ｘ００  ０ｘ０２  ０ｘ００  ０ｘ０１  ０ｘ０６
停止コマンド：０ｘ０３  ０ｘ００  ０ｘ０２  ０ｘ００  ０ｘ０２  ０ｘ０７
早送りコマンド：０ｘ０３  ０ｘ００  ０ｘ０２  ０ｘ００  ０ｘ０３  ０ｘ０８
巻き戻しコマンド：０ｘ０３  ０ｘ００  ０ｘ０２  ０ｘ００  ０ｘ０４  ０ｘ０９
などがある。
【０１０３】
図４（ａ）〜図４（ｃ）に示した例では、制御機器がワイヤレスセンタユニット１０２のワイヤレスセンタマイコン３７であって、被制御機器がＴＶ本体ユニット１０３のＴＶマイコン６４である場合を想定して説明したが、逆に、制御機器がＴＶ本体ユニット１０３で、被制御機器がワイヤレスセンタユニット１０２であってもよい。このときの例について、それぞれの制御コマンドの目的別に、図８（ａ）（ｂ）〜図１１（ａ）（ｂ）を参照しながら以下に説明する。
【０１０４】
ここでは、制御機器はＴＶ本体ユニット１０３のＴＶマイコン６４を、無線局１はＴＶ本体ユニット１０３のＳＳ送受信ユニット６１を、無線局２はワイヤレスセンタユニット１０２のＳＳ送受信ユニット３６を、被制御機器はワイヤレスセンタユニット１０２のワイヤレスセンタマイコン３７を、外部機器はワイヤレスセンタユニット１０２に接続されたＤＶＤレコーダ等のＡＶ機器（図示せず）を想定する。
【０１０５】
無線局１における送信電波強度の取得を目的とする場合には、図８（ａ）に示すように、制御機器から無線局１に制御データを送信する。この場合、コマンド識別ＩＤ＝１であり、制御データは、図８（ｂ）に示すようなデータ構造となる。ここで、制御データに含まれる制御コマンドは、図７（ａ）に示すように、制御機器であるＴＶ本体ユニット１０３のＴＶマイコン６４において変換される。
【０１０６】
なお、図８（ｂ）に示す制御データには、コマンド識別ＩＤ＝１に対応する１byteの制御コマンド（図７（ａ）に示す変換後の制御コマンド）、制御データ本体の大きさを２byteで示したサイズデータ、データ本体を示す１byteのデータ（送信電波強度を示すコマンドＮｏ．）、チェックサムを示す１byteのデータ（ＣＲＣ）がそれぞれ含まれている。
【０１０７】
無線局１における受信電波強度の取得を目的とする場合には、図９（ａ）に示すように、制御機器が無線局１を介して無線局２に制御コマンドを送信する。この場合、コマンド識別ＩＤ＝２であり、制御データは、図９（ｂ）に示すようなデータ構造となる。ここで、制御データに含まれる制御コマンドは、図７（ｂ）に示すように、制御機器であるＴＶ本体ユニット１０３のＴＶマイコン６４において変換される。
【０１０８】
なお、図９（ｂ）に示す制御データには、コマンド識別ＩＤに対応する１byteの制御コマンド（図７（ｂ）に示す変換後の制御コマンド）、制御データの大きさで示した２byteのサイズデータ、データ本体を示す１byteのデータ（受信電波強度を示すコマンドＮｏ．）、チェックサムを示す１byteのデータ（ＣＲＣ）がそれぞれ含まれている。
【０１０９】
被制御機器における外部入力の切り換えを目的とする場合には、図１０（ａ）に示すように、制御機器が無線局１、無線局２を介して被制御機器に制御コマンドを送信する。この場合、コマンド識別ＩＤ＝３であり、制御データは、図１０（ｂ）に示すようなデータ構造となる。ここで、制御データに含まれる制御コマンドは、図７（ｃ）に示すように、制御機器であるＴＶ本体ユニット１０３のＴＶマイコン６４において変換される。
【０１１０】
なお、図１０（ｂ）に示す制御データには、コマンド識別ＩＤに対応する１byteのデータ、制御データの大きさで示した２byteのサイズデータ、データ本体を示す１byteのデータ（入力切換えに対応するコマンドＮｏ．）、外部入力１を示すパラメータに対応するデータが、チェックサムを示す１byteのデータ（ＣＲＣ）がそれぞれ含まれている。
【０１１１】
被制御機器を介して外部機器を直接リモコン制御することを目的とする場合には、図１１（ａ）に示すように、制御機器が無線局１、無線局２、被制御機器を介して外部機器に制御コマンドを送信する。この場合、コマンド識別ＩＤ＝４であり、制御データは、図１１（ｂ）に示すようなデータ構造となる。ここで、制御データに含まれる制御コマンドは、図７（ｄ）に示すように、制御機器であるＴＶ本体ユニット１０３のＴＶマイコン６４において変換される。
【０１１２】
なお、図１１（ｂ）に示す制御データには、コマンド識別ＩＤに対応する１byteのデータ、制御データの大きさを示した２byteのデータ（ここでは、データ本体を８０byteとしている）、データ本体を示すデータ（リモコンスルーに対応するコマンドＮｏ．）、ＩｒＤＡサンプリングデータ列を示すパラメータに対応するデータ、チェックサムを示す１byteのデータ（ＣＲＣ）がそれぞれ格納されている。
【０１１３】
図１１（ａ）（ｂ）に示す制御コマンド伝送の具体例として、例えば、図１２に示すようなワイヤレスＡＶシステム１０１が考えられる。ここで、図１２に示すワイヤレスＡＶシステム１０１では、ワイヤレスセンタユニット１０２に接続されたＤＶＤプレーヤーやビデオデッキ等の外部機器を、ＴＶ本体ユニット１０３を介してリモコン１３０によって操作できるようになっている。
【０１１４】
このようなリモコン操作の応用例として、図１３に示すようなシステムが考えられる。図１３では、一つのワイヤレスセンタユニット１０２に対して、３つのＴＶ本体ユニット１０３ａ〜１０３ｃが制御データを送信し、該ワイヤレスセンタユニット１０２に接続された外部機器（機器Ａ〜機器Ｃ）をリモコン操作している。つまり、ワイヤレスセンタユニット１０２は、ＴＶ本体ユニット１０３から受信した制御データを、リモコン操作される機器のリモコン受光部（１１０ａ〜１１０ｃ）に送るようになっている。
【０１１５】
この場合、制御データは、ＴＶ本体ユニット１０３側で生成され、該ＴＶ本体ユニット１０３からワイヤレスセンタユニット１０２に送信され、該ワイヤレスセンタユニット１０２から各外部機器に伝送されるようになっている。このときの制御データを外部機器へ振り分ける処理は、ワイヤレスセンタユニット１０２内のワイヤレスセンタマイコン３７において行われている。
【０１１６】
以上、本発明のワイヤレス制御システムを適用したワイヤレスＡＶシステム１０１を具体的な実施の形態を示して説明したが、本発明はこれらに限定されるものではない。当業者であれば、本発明の要旨を逸脱しない範囲内において、上記各実施形態又は他の実施形態にかかる発明の構成及び機能に様々な変更・改良を加えることが可能である。
【０１１７】
例えば、本実施の形態では、ワイヤレスＡＶ機器として携帯ＴＶとしているが、ＴＶ受信機に限らず無線通信機能を持った又はその融合された装置に適用可能である。例えば、ＡＶ機器として、ＶＴＲ（Video Tape Recorder）のほか、ＨＤＤやＤＶＤに記録する記録再生装置でもよい。また、データ送受信のできる装置として、パソコンに代表される情報機器機能に融合された装置であってもよく、全てのシステムに適用可能である。また、送受信データの内容はどのようなものであってもよい。
【０１１８】
また、本実施の形態では、ＴＶ受信機で説明したが、これに限定されるものではなく、前述のように、チューナとパソコンや、チューナを使用する他のＡＶ機器にも応用できる。
【０１１９】
また、上記無線通信装置及びワイヤレスＡＶシステムを構成する各処理部等の種類、設定情報の種類・形式などは前述した実施形態に限られない。特に、ＨＡＶｉに準拠する機器に適用して好適である。
【０１２０】
また、チューナとして、ＢＳチューナとＵ／Ｖチューナの２つの放送を例に挙げているが、ＣＳチューナなど放送の種類や数はこれに限定されるものではない。
【０１２１】
また、本実施の形態では無線通信装置及びワイヤレスＡＶシステムという名称を用いたが、これは説明の便宜上であり、無線通信機器、ＡＶ機器、放送局選局装置等であってもよい。
【０１２２】
以上説明した無線通信装置及びワイヤレスＡＶシステムは、この無線通信装置及びワイヤレスＡＶシステムを機能させるためのプログラムでも実現される。このプログラムはコンピュータで読み取り可能な記録媒体に格納されている。本発明では、この記録媒体として、メインメモリそのものがプログラムメディアであってもよいし、また外部記憶装置としてプログラム読み取り装置が設けられ、そこに記録媒体を挿入することで読み取り可能なプログラムメディアであってもよい。
【０１２３】
いずれの場合においても、格納されているプログラムはＣＰＵがアクセスして実行させる構成であってもよいし、あるいはいずれの場合もプログラムを読み出し、読み出されたプログラムは、図示されていないプログラム記憶エリアにダウンロードされて、そのプログラムが実行される方式であってもよい。このダウンロード用のプログラムは予め本体装置に格納されているものとする。
【０１２４】
ここで、上記プログラムメディアは、本体と分離可能に構成される記録媒体であり、磁気テープやカセットテープ等のテープ系、フロッピー（登録商標）ディスクやハードディスク等の磁気ディスクやＣＤ−ＲＯＭ／ＭＯ／ＭＤ／ＤＶＤ等の光ディスクのディスク系、ＩＣカード／光カード等のカード系、あるいはマスクＲＯＭ、ＥＰＲＯＭ、ＥＥＰＲＯＭ、フラッシュＲＯＭ等による半導体メモリを含めた固定的にプログラムを担持する媒体であってもよい。
【０１２５】
さらに、図示されていないが、外部の通信ネットワークとの接続が可能な手段を備えている場合には、その通信接続手段を介して通信ネットワークからプログラムをダウンロードするように、流動的にプログラムを担持する媒体であってもよい。
【０１２６】
なお、このように通信ネットワークからプログラムをダウンロードする場合には、そのダウンロード用プログラムは予め本体装置に格納しておくか、あるいは別な記録媒体からインストールされるものであってもよい。なお、記録媒体に格納されている内容としてはプログラムに限定されず、データであってもよい。
【０１２７】
また、現在、全国で視聴されているアナログ地上放送に代わる新しい地上デジタル放送の準備が進んでいる。この地上デジタル放送は、２００３年に関東、近畿、東海の３大都市圏で開始され、２００６年には全国へ拡大させる計画である。これにともない、現行のアナログ放送も２０１１年には廃止される予定である。
【０１２８】
ＩＳＤＢ（Integrated Services Digital Broadcasting）は、映像、音声、データなどのあらゆる情報をデジタル・データとして扱う次世代の統合デジタル放送のコンセプトである。ＩＳＤＢの具体的なサービスとして、デジタル・テレビジョン放送、デジタル音声放送、ファクシミリ放送、マルチメディア放送などが研究されている。ＩＳＤＢの伝送路としては、衛星放送波、地上放送波、同軸ケーブルや光ファイバの有線伝送路の利用が考えられている。
【０１２９】
この地上デジタル放送の技術規格ＩＳＤＢ−Ｔ（Terrestrial）では、変調方式に多数の搬送波（キャリア）を使うＯＦＤＭ（Orthogonal Frequency Division Multiplexing）が採用され、ビルによる反射など複数の伝播経路（マルチパス）によるゴースト妨害も抑制が可能となる。また、ＩＳＤＢ−Ｔではキャリア間隔を規定する伝送モードやキャリア毎の変調方式、有効シンボル長毎に設ける時間軸方向のガードインターバルがそれぞれ複数規定されており、極めて多数の信号形式が規格の上では許容されている。実際にはこれらの中から、固定受信や移動受信などのサービスに応じて最適な形式が選択されることになる。
【０１３０】
また、ＩＳＤＢ−Ｔでは１つの伝送チャンネル（帯域約５．６ＭＨｚ）を、１３セグメント（１セグメント＝約４３０ｋＨｚ）に分割し、これを単位に変調方式を変えることになる。これによって、１つの伝送チャンネルで音声放送とハイビジョン放送、標準固定放送と移動体放送といったように、放送局は任意に信号構成を決定することができる。
【０１３１】
さらに、ＩＳＤＢ−Ｔは時間軸方向のインターリーブを取り入れており、利用する電波も移動体への伝送に適していることから、車載テレビなどの移動体受信機やＰＤＡ（Personal Digital Assistants）や携帯電話などの携帯端末でも安定した受信が可能となることが大きな特徴の一つとして挙げられる。今後、このような移動受信を想定したサービスも大いに期待されている。
【０１３２】
従って、このようなサービスに対しても、本発明のワイヤレス制御システムは好適に用いることが可能となる。
【０１３３】
また、本発明は、以下のように構成してもよい。
【０１３４】
すなわち、ワイヤレスＡＶシステムを構成するＡＶ機器間において、制御データを送受信する装置であって、制御データを生成する手段と、前記生成した制御データを変換する手段と、前記変換した制御データを無線送受信する手段と、
前記変換した制御データを識別し変換前のデータを取得する手段とを備えた装置であってもよい。
【０１３５】
また、前記制御データを変換する手段は、前記制御データを識別するためのキーコードを前記制御データの先頭に付加し、前記制御データの他の部分において前記キーコードと同内容のデータがある場合には、該データに対して一定の変換を行うようにしてもよい。
【０１３６】
さらに、前記制御データは、前記ワイヤレスＡＶシステムを構成するAV機器が自器内の無線通信局に対して制御を行うデータと、自器以外のＡＶ機器内の無線通信局に対して制御を行うデータと、自器以外のＡＶ機器に対して制御を行うデータとを含んでいてもよい。
【０１３７】
また、前記制御データは、データ伝送レートの変更、無線通信チャンネルの変更、チューナチャンネルの変更、入力の切り替えを行うためのコマンドを含んでいてもよい。
【０１３８】
以上、説明したように、本発明のワイヤレスAVシステムによれば、AV機器間における制御データの送受信を行う際に、データ本体を処理する必要なくヘッダに付加されたキーコードに従って制御データを識別することができるので、無線局及び端末におけるデータ識別作業の負荷を軽減することが可能となる。
【０１３９】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１４０】
なお、上記実施形態のワイヤレスＡＶシステム１０１の各部は、ＣＰＵなどの演算手段が、ＲＯＭ（Read Only Memory）やＲＡＭなどの記憶手段に記憶されたプログラムを実行し、キーボードなどの入力手段、ディスプレイなどの出力手段、あるいは、インターフェース回路などの通信手段を制御することにより実現することができる。したがって、これらの手段を有するコンピュータが、上記プログラムを記録した記録媒体を読み取り、当該プログラムを実行するだけで、本実施形態のワイヤレスＡＶシステム１０１の各種機能および各種処理を実現することができる。また、上記プログラムをリムーバブルな記録媒体に記録することにより、任意のコンピュータ上で上記の各種機能および各種処理を実現することができる。
【０１４１】
この記録媒体としては、マイクロコンピュータで処理を行うために図示しないメモリ、例えばＲＯＭのようなものがプログラムメディアであっても良いし、また、図示していないが外部記憶装置としてプログラム読取り装置が設けられ、そこに記録媒体を挿入することにより読取り可能なプログラムメディアであっても良い。
【０１４２】
また、何れの場合でも、格納されているプログラムは、マイクロプロセッサがアクセスして実行される構成であることが好ましい。さらに、プログラムを読み出し、読み出されたプログラムは、マイクロコンピュータのプログラム記憶エリアにダウンロードされて、そのプログラムが実行される方式であることが好ましい。なお、このダウンロード用のプログラムは予め本体装置に格納されているものとする。
【０１４３】
また、上記プログラムメディアとしては、本体と分離可能に構成される記録媒体であり、磁気テープやカセットテープ等のテープ系、フレキシブルディスクやハードディスク等の磁気ディスクやＣＤ／ＭＯ／ＭＤ／ＤＶＤ等のディスクのディスク系、ＩＣカード（メモリカードを含む）等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムを担持する記録媒体等がある。
【０１４４】
また、インターネットを含む通信ネットワークを接続可能なシステム構成であれば、通信ネットワークからプログラムをダウンロードするように流動的にプログラムを担持する記録媒体であることが好ましい。
【０１４５】
さらに、このように通信ネットワークからプログラムをダウンロードする場合には、そのダウンロード用のプログラムは予め本体装置に格納しておくか、あるいは別な記録媒体からインストールされるものであることが好ましい。
【０１４６】
また、本発明に係るワイヤレス制御システムは、制御機器と、該制御機器によりワイヤレスで制御される被制御機器とで構成されるワイヤレス制御システムにおいて、上記制御機器は、上記被制御機器を制御するための制御コマンドに、該制御コマンドの送信対象となる被制御機器と上記システム内の他の被制御機器とを識別するための識別コードを付加した制御データを、上記被制御機器に無線送信すると共に、上記被制御機器は、上記制御機器から無線送信された制御データを受信し、受信した制御データに含まれる識別コードを読み取って、該制御データに含まれる制御コマンドを実行すべき被制御機器を識別して、識別した被制御機器に上記制御データを伝送することを特徴としている。
【０１４７】
さらに、本発明に係るワイヤレス制御システムは、制御機器と、該制御機器によりワイヤレスで制御される被制御機器とで構成されるワイヤレス制御システムにおいて、上記制御機器は、上記被制御機器を制御するための制御コマンドに、該制御コマンドの送信対象となる被制御機器と上記システム内の他の被制御機器とを識別するための識別コードを付加して制御データを生成する制御データ生成部と、上記制御データ生成部から伝送された制御データを送信相手である被制御機器に送信する無線通信部とを備え、上記被制御機器は、上記制御機器からの制御データを受信する無線通信部と、受信した制御データに含まれる識別コードを読み取って該制御データに含まれる制御コマンドを実行すべき被制御機器を識別する識別部と、上記識別部によって識別された被制御機器に上記制御データを伝送する制御データ伝送部とを備えていることを特徴としている。
【０１４８】
上記制御データ生成部は、生成した制御データに、予め設定されたキーコードと同じデータが含まれている場合に、その同じデータに対して所定の変換処理を施し、変換処理後の制御データを上記無線通信部に伝送するようにしてもよい。
【０１４９】
上記制御データ生成部において生成される制御データは、上記制御機器に含まれる制御部に伝送される制御データ、該制御機器内の無線通信部に伝送される制御データ、上記被制御機器に含まれる制御部に伝送される制御データ、該被制御機器内の無線通信部に伝送される制御データの何れかであればよい。
【０１５０】
上記制御データは、制御コマンドとして、データ伝送レートの変更、無線通信チャンネルの変更、チューナチャンネルの変更、入力の切り替え、通信状態の取得を行うためのコマンドを含んでいてもよい。
【０１５１】
上記無線通信部は、スペクトラム拡散無線方式により、制御データを伝送するようにしてもよい。
【０１５２】
上記無線通信部は、無線ＬＡＮ、又はBluetooth（登録商標）及びＵＷＢ（Ultra Wide Band）などの小電力近距離双方向無線通信を行うものであってもよい。
【０１５３】
本発明に係る被制御機器は、制御機器と、該制御機器によりワイヤレスで制御される被制御機器とで構成されるワイヤレス制御システム内の被制御機器であって、上記システム内の被制御機器同士を識別するための識別コードを含んだ制御データを上記制御機器から受信し、受信した制御データに含まれる識別コードに基づいて、該制御データに含まれる制御コマンドを実行すべき被制御機器を識別することを特徴としている。
【０１５４】
また、本発明に係る被制御機器は、制御機器と、該制御機器によりワイヤレスで制御される被制御機器とで構成されるワイヤレス制御システム内の被制御機器であって、上記システム内の被制御機器同士を識別するための識別コードを含んだ制御データを上記制御機器から受信する無線通信部と、受信した制御データに含まれる識別コードを読み取って該制御データに含まれる制御コマンドを実行すべき被制御機器を識別する識別部と、上記識別部によって識別された被制御機器に上記制御データを伝送する制御データ伝送部とを備えていることを特徴としている。
【０１５５】
本発明に係る制御機器は、制御機器と、該制御機器によりワイヤレスで制御される被制御機器とで構成されるワイヤレス制御システム内の制御機器であって、上記被制御機器を制御するための制御コマンドに、該制御コマンドの送信対象となる被制御機器と上記システム内の他の被制御機器とを識別するための識別コードを付加して得られた制御データを、上記被制御機器に無線送信することを特徴としている。
【０１５６】
また、本発明に係る制御機器は、制御機器と、該制御機器によりワイヤレスで制御される被制御機器とで構成されるワイヤレス制御システム内の制御機器であって、上記被制御機器を制御するための制御コマンドに、該制御コマンドの送信対象となる被制御機器と上記システム内の他の被制御機器とを識別するための識別コードを付加して制御データを生成する制御データ生成部と、上記制御データ生成部から伝送された制御データを送信相手である被制御機器に送信する無線通信部とを備えていることを特徴としている。
【０１５７】
本発明に係る機器の制御方法は、制御機器によって被制御機器をワイヤレスで制御する機器の制御方法において、制御機器が、被制御機器を制御するための制御コマンドに、該制御コマンドの送信対象となる被制御機器と上記システム内の他の被制御機器とを識別するための識別コードを付加した制御データを、上記被制御機器に無線送信し、被制御機器が、無線送信された制御データを受信し、受信した制御データに含まれる識別コードに基づいて、該制御データに含まれる制御コマンドを実行すべき被制御機器を識別して、識別された被制御機器に上記制御データを伝送することを特徴としている。
【０１５８】
本発明に係る制御プログラムは、上記構成のワイヤレス制御システムを動作させる制御プログラムであって、コンピュータを上記の各部として機能させるための制御プログラムである。
【０１５９】
本発明に係る記録媒体は、上記の制御プログラムを記録したコンピュータ読み取り可能な記録媒体である。
【０１６０】
本発明に係るワイヤレス制御システムは、上記課題を解決するために、制御機器と、該制御機器によりワイヤレスで制御される被制御機器とで構成されるワイヤレス制御システムにおいて、上記制御機器は、上記被制御機器を制御するための制御コマンドに、該制御コマンドの送信対象となる被制御機器と上記システム内の他の被制御機器とを識別するための識別コードを付加した制御データを、上記被制御機器に無線送信すると共に、上記被制御機器は、上記制御機器から無線送信された制御データを受信し、受信した制御データに含まれる識別コードを読み取って、該制御データに含まれる制御コマンドを実行すべき被制御機器を識別して、識別した被制御機器に上記制御データを伝送することを特徴としている。
【０１６１】
また、本発明に係るワイヤレス制御システムは、上記の課題を解決するために、制御機器と、該制御機器によりワイヤレスで制御される被制御機器とで構成されるワイヤレス制御システムにおいて、上記制御機器は、上記被制御機器を制御するための制御コマンドに、該制御コマンドの送信対象となる被制御機器と上記システム内の他の被制御機器とを識別するための識別コードを付加して制御データを生成する制御データ生成部と、上記制御データ生成部から伝送された制御データを送信相手である被制御機器に送信する無線通信部とを備え、上記被制御機器は、上記制御機器からの制御データを受信する無線通信部と、受信した制御データに含まれる識別コードを読み取って該制御データに含まれる制御コマンドを実行すべき被制御機器を識別する識別部と、上記識別部によって識別された被制御機器に上記制御データを伝送する制御データ伝送部とを備えていることを特徴としている。
【０１６２】
上記の構成によれば、制御機器において、被制御機器同士の識別コードを制御コマンドに付加した制御データを生成し、この制御データを利用して、被制御機器は、制御データの識別処理を行うようになるので、一つの制御機器で制御すべき被制御機器の数が多くなっても、制御機器における制御データ識別の為の処理量は増加しない。
【０１６３】
従って、制御機器は、被制御機器が増加したとしても、データ処理の負担が増えないので、各被制御機器に対して迅速に制御できることになり、この結果、ワイヤレスＡＶシステム全体を円滑に稼働できるという効果を奏する。
【０１６４】
上記制御データ生成部は、生成した制御データに、予め設定されたキーコードと同じデータが含まれている場合に、その同じデータに対して所定の変換処理を施し、変換処理後の制御データを上記無線通信部に伝送するようにしてもよい。
【０１６５】
この場合、識別コードの誤認識を無くすことができるので、制御機器は常に適切な被制御機器を制御することができる。
【０１６６】
上記制御データ生成部において生成される制御データは、上記制御機器に含まれる制御部に伝送される制御データ、該制御機器内の無線通信部に伝送される制御データ、上記被制御機器に含まれる制御部に伝送される制御データ、該被制御機器内の無線通信部に伝送される制御データの何れかであればよい。
【０１６７】
また、上記制御データは、制御コマンドとして、データ伝送レートの変更、無線通信チャンネルの変更、チューナチャンネルの変更、入力の切り替え、通信状態の取得を行うためのコマンドを含んでいてもよい。
【０１６８】
また、上記ワイヤレス制御システムの被制御機器は、以下のような構成であってもよい。
【０１６９】
すなわち、本発明に係る被制御機器は、制御機器と、該制御機器によりワイヤレスで制御される被制御機器とで構成されるワイヤレス制御システム内の被制御機器であって、上記システム内の被制御機器同士を識別するための識別コードを含んだ制御データを上記制御機器から受信し、受信した制御データに含まれる識別コードに基づいて、該制御データに含まれる制御コマンドを実行すべき被制御機器を識別する構成であってもよい。
【０１７０】
また、本発明に係る被制御機器は、制御機器と、該制御機器によりワイヤレスで制御される被制御機器とで構成されるワイヤレス制御システム内の被制御機器であって、上記システム内の被制御機器同士を識別するための識別コードを含んだ制御データを上記制御機器から受信する無線通信部と、受信した制御データに含まれる識別コードを読み取って該制御データに含まれる制御コマンドを実行すべき被制御機器を識別する識別部と、上記識別部によって識別された被制御機器に上記制御データを伝送する制御データ伝送部とを備えている構成であってもよい。
【０１７１】
さらに、上記ワイヤレス制御システムの制御機器は、以下の構成であってもよい。
【０１７２】
すなわち、本発明に係る制御機器は、制御機器と、該制御機器によりワイヤレスで制御される被制御機器とで構成されるワイヤレス制御システム内の制御機器であって、上記被制御機器を制御するための制御コマンドに、該制御コマンドの送信対象となる被制御機器と上記システム内の他の被制御機器とを識別するための識別コードを付加して得られた制御データを、上記被制御機器に無線送信する構成であってもよい。
【０１７３】
また、本発明に係る制御機器は、制御機器と、該制御機器によりワイヤレスで制御される被制御機器とで構成されるワイヤレス制御システム内の制御機器であって、上記被制御機器を制御するための制御コマンドに、該制御コマンドの送信対象となる被制御機器と上記システム内の他の被制御機器とを識別するための識別コードを付加して制御データを生成する制御データ生成部と、上記制御データ生成部から伝送された制御データを送信相手である被制御機器に送信する無線通信部とを備えている構成であってもよい。
【０１７４】
上記無線通信部としては、スペクトラム拡散無線方式により、制御データを伝送する通信部が好適に使用できる。
【０１７５】
また、上記無線通信部としては、無線ＬＡＮ、又はBluetooth及びＵＷＢ（Ultra Wide Band）などの小電力近距離双方向無線通信を行う通信部が好適に使用できる。
【０１７６】
なお、上記ワイヤレス制御システムは、コンピュータによって実現してもよく、この場合には、コンピュータを上記各部として動作させることにより上記ワイヤレス制御システムをコンピュータにて実現させる制御プログラムを記録したコンピュータ読み取り可能な記録媒体も、本発明の範疇に入る。
【０１７７】
従って、本発明に係るワイヤレス制御システムは、以上のように、制御機器は、上記被制御機器を制御するための制御コマンドに、該制御コマンドの送信対象となる被制御機器と上記システム内の他の被制御機器とを識別するための識別コードを付加した制御データを、上記被制御機器に無線送信すると共に、被制御機器は、上記制御機器から無線送信された制御データを受信し、受信した制御データに含まれる識別コードを読み取って、該制御データに含まれる制御コマンドを実行すべき被制御機器を識別して、識別された被制御機器に上記制御データを伝送することで、制御機器は、被制御機器が増加したとしても、データ処理の負担が増えないので、各被制御機器に対して迅速に制御できることになり、この結果、ワイヤレスＡＶシステム全体を円滑に稼働できるという効果を奏する。
【産業上の利用可能性】
【０１７８】
本発明のワイヤレスシステムは、映像及び／又は音声データを無線伝送する、例えばディスプレイ分離型のワイヤレスＴＶ受信機のような家庭内ＡＶネットワークシステムに好適であるが、これに限定されず、携帯電話機／ＰＨＳ（登録商標）（Personal Handy-Phone System）や携帯情報端末（ＰＤＡ（Personal Digital Assistants））などの無線通信機器に広く適用可能である。
【図面の簡単な説明】
【０１７９】
【図１】本発明の実施形態を示すものであり、ワイヤレスＡＶシステムの要部構成を示すブロック図である。
【図２】図１に示すワイヤレスＡＶシステムを構成するワイヤレスセンタユニットの要部構成を示すブロック図である。
【図３】図１に示すワイヤレスＡＶシステムを構成するＴＶ本体ユニットの要部構成を示すブロック図である。
【図４】（ａ）〜（ｃ）は、ワイヤレスセンタユニット及びＴＶ本体ユニット間での制御コマンドの送受信を模式的に示した図である。
【図５】図１に示すワイヤレスＡＶシステムにおいて、制御データに含めるキーコードの一例を示す図である。
【図６】図１に示すワイヤレスＡＶシステムにおいて送受信される制御コマンドのデータフォーマットの一例を示す図である。
【図７】（ａ）〜（ｄ）は、上記した制御データの変換方法及びデータ構造に従って構成される制御データの変換例を示す図である。
【図８】無線局１における送信電波強度の取得を目的とした場合の、（ａ）は制御データの送受信を示す模式図であり、（ｂ）は制御データのデータ構造を示す図である。
【図９】無線局１における受信電波強度の取得を目的とする場合の、（ａ）は制御データの送受信を示す模式図であり、（ｂ）は制御データのデータ構造を示す図である。
【図１０】被制御機器における外部入力の切り換えを目的とする場合の、（ａ）は制御データの送受信を示す模式図であり、（ｂ）は制御データのデータ構造を示す図である。
【図１１】被制御機器を介して外部機器を直接リモコン制御することを目的とする場合の、（ａ）は制御データの送受信を示す模式図であり、（ｂ）は制御データのデータ構造を示す図である。
【図１２】本発明のワイヤレスＡＶシステムを具体例を示す図である。
【図１３】図１２に示すワイヤレスＡＶシステムの応用例を示す図である。
【符号の説明】
【０１８０】
１  無線伝送ネットワーク
２  ワイヤレスセンタ（制御機器、被制御機器）
３  ＴＶ本体（制御機器、被制御機器）
１１  ＢＳ端子
１２  Ｕ／ＶＨＦアンテナ端子
１３  ダイバーシティ端子
１４  ビデオ１入力端子
１５  ビデオ２入力端子
１６  ビデオ３入力端子
１７  ＡＣ電源部
１８  Ｃａｒ−ＤＣ電源部
２１  ビデオ４入力端子
２２  ＡＣ電源部
２３  Ｃａｒ−ＤＣ電源部
３１  ＢＳチューナ
３２  Ｕ／ＶＨＦチューナ
３３  映像・音声復調部
３４  音声切換部
３５  第１のＡＶセレクタ
３６  ＳＳ送受信ユニット（無線通信部）
３７  ワイヤレスセンタマイコン（制御データ生成部、識別部、制御データ伝送部））
３８  ＥＥＰＲＯＭ
４１  選局信号
４２  音声切換信号
４３  ソース選択信号
４４  ＴＶコマンド
５１  Ａ／Ｄ変換部
５２  ＭＰＥＧ２エンコーダ
５３  ＳＳ無線送受信エンジン
５４  ＣＰＵ
６１  ＳＳ送受信ユニット（無線通信部）
６２  第２のＡＶセレクタ
６３  ＴＶ部
６４  ＴＶマイコン（制御データ生成部、識別部、制御データ伝送部）
６５  ＥＥＰＲＯＭ
６６  リモコン受光部
６７  バッテリ
６８  バッテリチャージャマイコン
６９  ＯＳＤ合成部
７１  ＴＶコマンド
７２  ソース選択信号
７３  ＯＳＤ信号
８１  ＳＳ無線送受信エンジン
８２  ＭＰＥＧ２デコーダ
８３  Ｄ／Ａ変換部
８４  ＣＰＵ
１０１  ワイヤレスＡＶシステム（ワイヤレス制御システム）
１０２  ワイヤレスセンタユニット
１０３  ＴＶ本体ユニット
１３０  リモコン
【図１】
2004336736.tif 000003
【図２】
2004336736.tif 000004
【図３】
2004336736.tif 000005
【図４】
2004336736.tif 000006
【図５】
2004336736.tif 000007
【図６】
2004336736.tif 000008
【図７】
2004336736.tif 000009
【図８】
2004336736.tif 000010
【図９】
2004336736.tif 000011
【図１０】
2004336736.tif 000012
【図１１】
2004336736.tif 000013
【図１２】
2004336736.tif 000014
【図１３】
2004336736.tif 000015